(57)【要約】【課題】  ケーブルの絡まりを防止し、簡便に余長を保持することにより、余長の有効活用を可能にし、資源の有効活用及びネットワーク構築コストを低減する。【解決手段】  ８の字巻きしたケーブル１１を収納するケーブル用収納箱２００に、このケーブル用収納箱２００から余分に引き出された余長ケーブル１１を収納するための余長収納部材１００を一体に装備した。余長収納部材１００は、箱体２５又は袋体とすることができる。余長収納部材１００の形態は、箱本体１３の外面寸法と同等又はそれ以下の大きさに形成されている。【選択図】  図１
2010168076.tif 000002
【特許請求の範囲】
【請求項１】
８の字巻きしたケーブルを収納するケーブル用収納箱が、該ケーブル用収納箱から余分に引き出された余長ケーブルを収納するための余長収納部材を一体に装備していることを特徴とするケーブル用収納箱。
【請求項２】
請求項１記載のケーブル用収納箱であって、
前記余長収納部材が箱体又は袋体であることを特徴とするケーブル用収納箱。
【請求項３】
請求項１又は請求項２記載のケーブル用収納箱であって、
前記余長収納部材はケーブル引出口が開口した面を除く外側面に装備されていることを特徴とするケーブル用収納箱。
【請求項４】
請求項１〜請求項３のいずれか１項記載のケーブル用収納箱であって、
前記余長収納部材の形態が箱本体の外面寸法と同等又は同等以下の大きさに形成されていることを特徴とするケーブル用収納箱。
【請求項５】
８の字巻きしたケーブルを収納するケーブル用収納箱から余分に引き出された余長ケーブルを請求項１〜請求項４のいずれか１項記載の余長収納部材に収納し保持させることを特徴とする余長収納方法。
【請求項６】
請求項５記載の余長収納方法であって、
前記余長ケーブルを８の字巻きして前記余長収納部材に収納させることを特徴とする余長収納方法。
【発明の詳細な説明】
【技術分野】
【０００１】
本発明は、８の字巻きしたケーブルを収納するケーブル用収納箱及びこれを用いた余長収納方法に関する。
【背景技術】
【０００２】
主に室内に布設されるＬＡＮケーブル、インドア用光ケーブルなどの比較的細径のケーブルの収納に、８の字巻きしたケーブルを収納するケーブル用収納箱が用いられている。このケーブル用収納箱は、ケーブルを絡めずに引き出しやすい、いわゆる８の字巻きしたケーブルの状態で収納するもので、一つの面に形成された穴からケーブルが引き出されて布設されるようになっている。このケーブル用収納箱は、使用後つまりケーブルがなくなった後に廃棄が容易となるようにダンボールを主体として形成されている（例えば、特許文献１，２参照）。
【先行技術文献】
【特許文献】
【０００３】
【特許文献１】特許第３９８６０６７号公報
【特許文献２】特開２００１−６３７８４号公報
【発明の概要】
【発明が解決しようとする課題】
【０００４】
上記したケーブル用収納箱においては、室内にケーブルを布設し終わった後、ケーブルを箱から余分に引き出した余長（例えば、５〜１０ｍ程度）が残ることがある。ケーブル用収納箱においては、この余長を箱の中に押し込んでしまうと、箱の中でケーブルが絡まってしまい、次に引き出そうとしてもスムーズに引き出せなかったり、ケーブルにキンク（折れ曲がり）が発生したりして、ケーブルが光ケーブルである場合は断線に至るなどのトラブルの原因となる。このため、布設作業後は箱の近傍でケーブルを切断し、余長は廃棄することとしている。しかしながら、このように余長を廃棄すると、資源の無駄になり、ネットワーク構築コストが増大してしまう。
【０００５】
そこで、本発明は、ケーブルの絡まりを防止しつつ簡便に余長を保持することにより、余長の有効活用を可能にし、資源の有効活用及びネットワーク構築コストを低減することができる、８の字巻きしたケーブルを収納するケーブル用収納箱及びこれを用いた余長収納方法を提供することを目的とする。
【課題を解決するための手段】
【０００６】
本発明に係る上記目的は、下記構成により達成される。
（１）  ８の字巻きしたケーブルを収納するケーブル用収納箱が、該ケーブル用収納箱から余分に引き出された余長ケーブルを収納するための余長収納部材を一体に装備していることを特徴とするケーブル用収納箱。
【０００７】
このケーブル用収納箱によれば、余分に引き出されたケーブル余長を、切断せずに、例えば周回巻きして余長収納部材に収納できる。これにより、８の字巻きケーブルが収納される箱本体にケーブル余長を押し込んで収納することによる箱本体内でのケーブルの絡まりを防止できる。また、ケーブル用収納箱と余長収納部材が一体となり、布設作業現場への余長収納部材の搬入搬出が容易となる。つまり、関連部材同士がワンセットとなり、利便性が向上する。これにより、作業性を向上させ、作業時間の短縮を可能とすることができる。
【０００８】
（２）  （１）のケーブル用収納箱であって、
前記余長収納部材が箱体又は袋体であることを特徴とするケーブル用収納箱。
【０００９】
このケーブル用収納箱によれば、余長収納部材が箱体であると、一定の収容空間が確保され、開口部も常に一定の大きさで開口するので、ケーブル余長の出し入れが容易となる。また、余長収納部材が袋体であると、ケーブル余長の非収納時、袋体を畳んで容積を小さくできる。特に、袋体を備えたケーブル用収納箱によれば、出荷前或いは使用前の保管スペースが箱本体とほぼ同一となり、搬入搬出が容易となるとともに、保管スペースも小さくなり、保管性が良好となる。
【００１０】
（３）  （１）又は（２）のケーブル用収納箱であって、
前記余長収納部材はケーブル引出口が開口した面を除く外側面に装備されていることを特徴とするケーブル用収納箱。
【００１１】
このケーブル用収納箱によれば、ケーブル引出口から引き出されたケーブル余長が、ケーブル引出口の形成面に隣接する外側面に設けられた余長収納部材に挿入でき、適度な挿入作業スペースが形成されて、挿入が容易になるとともに、余長を引き出す際には、ケーブル引出口から外側面に渡って露出した渡りケーブル部分を引っ張ることで、ケーブル余長を容易に引き出すことができる。
【００１２】
（４）  （１）〜（３）のいずれか１つのケーブル用収納箱であって、
前記余長収納部材の形態が箱本体の外面寸法と同等又は同等以下の大きさに形成されていることを特徴とするケーブル用収納箱。
【００１３】
このケーブル用収納箱によれば、余長収納部材の最大高さないし奥行きが箱本体の高さ及び奥行きを越えないサイズとなることで、余長収納部材と箱本体を並べて置くのが容易となり、複数のケーブル用収納箱を整頓する場合等の収納スペースを節減できる。
【００１４】
（５）  ８の字巻きしたケーブルを収納するケーブル用収納箱から余分に引き出された余長ケーブルを（１）〜（４）のいずれか１つの余長収納部材に収納し保持させることを特徴とする余長収納方法。
【００１５】
この余長収納方法によれば、短尺のケーブル余長であれば、そのまま余長収納部材へ挿入し、長尺のケーブル余長であれば、例えば周回巻きして余長収納部材に容易に収納できる。すなわち、一度箱本体から引き出して、８の字巻きを解いてしまったケーブルを、８の字巻きケーブルとは別の近接収納手段に簡便に収納できる。これにより、ケーブル余長を切断廃棄せずに、８の字巻きケーブルと連続する未使用ケーブルのまま、しかも次回使用時の絡まりを防止して保管することができる。
【００１６】
（６）  （５）の余長収納方法であって、
前記余長ケーブルを８の字巻きして前記余長収納部材に収納させることを特徴とする余長収納方法。
【００１７】
この余長収納方法によれば、余長収納部材からケーブル余長を引き出す際、ケーブルを単に引き出しても、捩れが発生せず、現場で捩れ戻しの手間、捩れによる特性悪化、断線等の問題が発生しない。
【発明の効果】
【００１８】
本発明に係るケーブル用収納箱によれば、８の字巻きしたケーブルを収納するケーブル用収納箱が、このケーブル用収納箱から余分に引き出された余長ケーブルを収納するための余長収納部材を一体に装備するので、余分に引き出されたケーブル余長を、切断せずに、例えば周回巻きして余長収納部材に収納できる。これにより、８の字巻きケーブルが収納される箱本体にケーブル余長を押し込んで収納することによる箱中でのケーブルの絡まりを防止できる。この結果、ケーブルの絡まりを防止しつつ簡便に余長を保持することにより、余長の有効活用を可能にし、資源の有効活用及びネットワーク構築コストを低減できる。
【００１９】
本発明に係る余長収納方法によれば、８の字巻きしたケーブルを収納するケーブル用収納箱から余分に引き出された余長ケーブルを（１）〜（４）のいずれか１つの余長収納部材に収納し保持させるので、短尺のケーブル余長であれば、そのまま余長収納部材へ挿入し、長尺のケーブル余長であれば、例えば周回巻きして余長収納部材に容易に収納できる。この結果、ケーブルの絡まりを防止しつつ簡便に余長を保持することにより、余長の有効活用を可能にし、資源の有効活用及びネットワーク構築コストを低減できる。
【図面の簡単な説明】
【００２０】
【図１】本発明の第一の実施の形態に係る余長収納部材を備えたケーブル用収納箱の斜視図である。
【図２】（ａ）は図１に示したケーブル用収納箱の外側面の正面図、（ｂ）は図１に示したケーブルの断面図である。
【図３】余長収納部材の奥側角部を弧状に形成した第二の実施の形態に係るケーブル用収納箱の斜視図である。
【図４】袋体にて余長収納部材を形成した第三の実施の形態に係るケーブル用収納箱の斜視図である。
【図５】８の字巻きのケーブル余長が収納されたケーブル用収納箱の斜視図である。
【発明を実施するための形態】
【００２１】
以下、本発明に係るケーブル用収納箱及び余長収納方法の好適な実施の形態について図面を参照して説明する。
図１は本発明の第一の実施の形態に係る余長収納部材を備えたケーブル用収納箱の斜視図である。
本実施の形態によるケーブル用収納箱２００は、８の字巻きしたケーブル１１を収納する箱本体１３が、箱本体１３から余分に引き出された余長ケーブルを収納するための余長収納部材１００を一体に装備している。
【００２２】
箱本体１３は、ダンボール１９にて例えば六面体形状に形成され、一つの面である正面２１に円形状のケーブル引出口２３が開口されている。箱本体１３内にはケーブル１１である例えば光ケーブルが８の字巻きされて収納されている。８の字巻きは、中央交差部を境に巻き方向が反転する巻取り方式で、ケーブル１１を束から引き出しても撚れず、従来のドーナッツ状の巻取り方式と比べ、現場で捩れ戻しの手間、捩れ、キンクによる特性悪化、断線等の問題が発生し難い。
【００２３】
本実施の形態において、余長収納部材１００は、方形の箱体２５として形成されている。箱体２５は、別体のものを箱本体１３の外側面１７に貼着してもよい。また、箱本体１３の外側面１７の内側に横方向に薄い扁平な収容空間３３を形成し、隔壁にてケーブル収納空間と仕切ることにより形成してもよい。収容空間３３は、正面２１に矩形状の開口部３５となって開口される。収容空間３３は、ケーブル余長の全体を収納可能としている。
【００２４】
本実施の形態のように、余長収納部材１００を箱体２５とすれば、一定の収容空間３３を確保することができ、また、開口部３５も常に一定の大きさで開口するので、ケーブル余長の出し入れを容易にすることができる。
【００２５】
箱体２５は、箱本体１３と同様のダンボール１９にて形成することができるが、余長ケーブルの出し入れを良好にし、耐久性を高めるために別素材により形成してもよい。別素材しては、例えばパラフィン含有紙を挙げることができる。また、ポリオレフィンシート、４弗化エチレン樹脂シート、弗素樹脂等のプラスチックコーティングシート等を開口部３５の近傍に貼着し、滑性を高めたものとしてもよい。
また、開口部３５に開閉可能な蓋をつけると、収容空間３３に収納されたケーブル余長が不用意に脱落したり、ケーブルの剛性により束状態が開放されたりすることを防止でき、さらに好適となる。
【００２６】
余長収納部材１００は、ケーブル引出口２３が開口した正面２１を除く外側面１７に装備されることが好ましい。ケーブル引出口２３から引き出された余長ケーブルが、ケーブル引出口２３の形成面に隣接する外側面１７に設けられた余長収納部材１００に挿入でき、適度な挿入作業スペースが形成されて、挿入が容易になるとともに、余長を引き出す際には、ケーブル引出口２３から外側面１７に渡って露出した渡りケーブル部分１１ａを引っ張ることで、ケーブル余長を容易に引き出すことができる。
【００２７】
図２（ａ）は図１に示したケーブル用収納箱の外側面の正面図、（ｂ）は図１に示したケーブルの断面図である。
余長収納部材１００は、収納されるケーブル１１の最小の曲げ内径Ｄが、ケーブル１１の最大外径ｄの２０倍以上となる内部寸法を有していることが好ましい。これにより、ケーブル１１が光ケーブルであっても光ファイバ心線に過大な曲げ歪みを生じさせないため、伝送損失が抑制され、信頼性の低下を生じさせない。なお、ケーブル１１は、図２（ｂ）に示す断面円形状のもの１１Ａ、或いは短辺ｓ、長辺ｔからなる断面矩形状のもの１１Ｂのいずれであってもよく、断面矩形状のもの１１Ｂの場合には対角距離が最大外径ｄとなる。
【００２８】
ここで、余長収納部材１００の形態は、箱本体１３の外面（本例では外側面１７）寸法と同等又は同等以下の大きさに形成されて装備されることが好ましい。本実施の形態では、余長収納部材１００が、外側面１７と同等の高さ及び奥行き寸法で形成されている。すなわち、図２に示すように、ケーブル余長の最大高さｈないし奥行きｂがケーブル用収納箱２００の高さＨ及び奥行きＢを越えないサイズとなっている。余長収納部材１００の最大高さないし奥行きがケーブル用収納箱２００の高さＨ及び奥行きＢを越えないサイズとなることで、余長収納部材１００とケーブル用収納箱２００を並べて置くのが容易となる。これにより、例えば複数のケーブル用収納箱２００を整頓する場合等の収納スペースを節減することができる。また、余長収納部材１００が箱本体１３の外面から突出した場合の、搬出入作業時における突出部と他部材などとの干渉を防止することができる。
【００２９】
このように、ケーブル用収納箱２００によれば、余分に引き出されたケーブル余長を、切断せずに、例えば周回巻きして余長収納部材１００に収納できる。これにより、８の字巻きケーブル１１が収納される箱本体１３に余長ケーブルを押し込んで収納することによる箱本体１３内でのケーブル１１の絡まりを防止できる。また、ケーブル用収納箱２００と余長収納部材１００が一体となり、布設作業現場への余長収納部材１００の搬入搬出が容易となる。つまり、関連部材同士がワンセットとなり、利便性が向上する。これにより、作業性を向上させ、作業時間の短縮を可能とすることができる。
【００３０】
余長収納部材１００の備えられたケーブル用収納箱２００を用いる余長収納方法では、短尺のケーブル余長であれば、そのまま余長収納部材１００へ挿入し、長尺のケーブル余長であれば、例えば周回巻きして余長収納部材１００に容易に収納できる。すなわち、一度箱本体１３から引き出して、８の字巻きを解いてしまったケーブル１１を、８の字巻きケーブル１１とは別の近接収納手段に簡便に収納できる。これにより、ケーブル余長を切断廃棄せずに、８の字巻きケーブル１１と連続する未使用ケーブル１１のまま、しかも次回使用時の絡まりを防止して保管することができる。この結果、箱本体１３内におけるケーブル１１の８の字巻きに乱れをなくし、もつれ、伸び、断線等を生じさせずにケーブル余長を円滑に引き出すことが可能となる。
【００３１】
次に、本発明に係るケーブル用収納箱の第二の実施の形態を説明する。
図３は余長収納部材の奥側角部を弧状に形成した第二の実施の形態に係るケーブル用収納箱の斜視図である。
この実施の形態によるケーブル用収納箱２００Ａは、余長収納部材１００Ａの奥側が、収納されたケーブル余長の周回外径に沿った弧状に形成される。すなわち、余長収納部材１００Ａの後部が、上下の角部を除去した略半円弧部２９として形成されている。
このケーブル用収納箱２００Ａによれば、余長収納部材１００Ａが小型となり、材料コストが安くなるとともに、軽量にできる。また、周回巻きしたケーブル余長の後部を、略半円弧部２９の内壁に沿わして収納でき、収納ケーブル余長に作用する局所的な外力集中を低減させることができる。
【００３２】
次に、本発明に係るケーブル用収納箱の第三の実施の形態を説明する。
図４は袋体にて余長収納部材を形成した第三の実施の形態に係るケーブル用収納箱の斜視図である。
この実施の形態によるケーブル用収納箱２００Ｂは、余長収納部材１００Ｂが、袋体３１からなる。袋体３１は、図４に示すように、開口部３５を正面２１に向けて開口させることができる。正面２１に向けて開口部３５を開口させることで、ケーブル余長の収容、取り出しを容易にできる。また、袋体３１は、開口部３５が上方に向くように設けられてもよい。開口部３５を上向きとした袋体３１によれば、ケーブル用収納箱２００Ｂの運搬時に、収納ケーブル余長を脱落し難くすることができる。
【００３３】
さらに、袋体３１の開口部３５は、開口全周に渡って紐を挿通し、いわゆるキンチャク構造として、開口部３５を絞ることによる開閉構造としてもよい。
【００３４】
このケーブル用収納箱２００Ｂによれば、余長収納部材１００Ｂが袋体３１であるので、ケーブル余長の非収納時、袋体３１を畳んで容積を小さくできる。出荷前或いは使用前の保管スペースが箱本体１３とほぼ同一となり、搬入搬出が容易となるとともに、保管スペースも小さくなり、保管性が良好となる。
【００３５】
図５は８の字巻きのケーブル余長が収納されたケーブル用収納箱の斜視図である。
ケーブル用収納箱２００は、図１に示したように、余長ケーブルを通常の順方向巻きにより収納してもよいが、８の字巻きして余長収納部材１００に収納することが好ましい。図例では理解を容易とするために模式的に８の字を描いたケーブル余長としているが、実際には外観上、周回巻きと同一の環状束となる。８の字巻きを行うには、ケーブル引出口２３から例えば１０ｍの余長ケーブルが引き出されている場合、先ず、ケーブル引出口２３の近傍におけるケーブル１１を例えば左手で持ち、右手で順巻きと、逆巻きとを交互に繰り返して巻く。逆巻き時には、順巻きの後、再び順巻きした巻きを持つ右手首を１８０度反転させて巻きの内側に入れて、この反転させた巻きを左手に持つ。この順巻きと、逆巻きとをケーブル余長の先端まで交互に行うことでケーブル余長が８の字巻きされる。その巻き束３７を収容空間３３に収納する。
【００３６】
この余長収納方法によれば、余長収納部材１００からケーブル余長を引き出す際、渡りケーブル部分１１ａを単に引き出しても、捩れが発生せず、現場で捩れ戻しの手間、捩れによる特性悪化、断線等の問題が発生しない。
【００３７】
したがって、上記したケーブル用収納箱２００，２００Ａ，２００Ｂによれば、８の字巻きしたケーブル１１を収納する箱本体１３が、この箱本体１３から余分に引き出された余長ケーブルを収納するための余長収納部材１００，１００Ａ，１００Ｂを一体に装備するので、余分に引き出されたケーブル余長を、切断せずに、例えば周回巻きして余長収納部材１００，１００Ａ，１００Ｂに収納できる。これにより、８の字巻きケーブル１１が収納される箱本体１３にケーブル余長を押し込んで収納することによる箱中でのケーブル１１の絡まりを防止できる。この結果、ケーブル１１の絡まりを防止しつつ簡便に余長を保持することにより、余長の有効活用を可能にし、資源の有効活用及びネットワーク構築コストを低減できる。
【００３８】
また、余長収納方法によれば、８の字巻きしたケーブル１１を収納する箱本体１３から余分に引き出された余長ケーブルを余長収納部材１００，１００Ａ，１００Ｂに収納し保持させるので、短尺のケーブル余長であれば、そのまま余長収納部材１００，１００Ａ，１００Ｂへ挿入し、長尺のケーブル余長であれば、例えば周回巻きして余長収納部材１００，１００Ａ，１００Ｂに容易に収納できる。この結果、ケーブル１１の絡まりを防止しつつ簡便に余長を保持することにより、余長の有効活用を可能にし、資源の有効活用及びネットワーク構築コストを低減できる。
【実施例】
【００３９】
次に、図１に示した余長収納部材１００及びケーブル用収納箱２００と同様の構成で余長収納部材及びケーブル用収納箱を製作し、ケーブル収納・取り出しの可否を調べた結果を説明する。
箱本体の外側面と同サイズの方形余長収納部材を一体に固定した。余長収納部材は、曲げ内径２３０ｍｍ、曲げ外径２７０ｍｍのケーブルが収納できる内部寸法とした。
この実施例によるケーブル用収納箱において、長辺２ｍｍ、短辺１．６ｍｍの断面略矩形状のインドア用光ケーブルの余長を８の字巻きした後、余長収納部材に挿入して収納した。ケーブル引出口と余長収納部材開口部の間の渡りケーブル部分を引っ張ることにより、収納した１０ｍの余長を絡めずに容易に取り出しできることが確認できた。
【符号の説明】
【００４０】
１１  ケーブル
１３  箱本体
１７  ケーブル引出口の開口した面を除く外側面
２１  正面（ケーブル引出口の開口した面）
２３  ケーブル引出口
２５  箱体
３１  袋体
１００，１００Ａ，１００Ｂ  余長収納部材
２００，２００Ａ，２００Ｂ  ケーブル用収納箱
【図１】
2010168076.tif 000003
【図２】
2010168076.tif 000004
【図３】
2010168076.tif 000005
【図４】
2010168076.tif 000006
【図５】
2010168076.tif 000007